(57)【要約】      （修正有）【課題】医療装置を提供すること。【解決手段】近位端部５８と体腔の中に挿入するように構成された遠位端部３４とを有する外側チューブ３６であって、遠位端部に近接して外側チューブの壁を通る半径方向切開窓開口部５０を備える外側チューブを含む挿入チューブを備える医療用プローブ２２。挿入チューブはまた、外側チューブに収容され、かつ外側チューブ内を回転するように構成された内側チューブであって、内側チューブが回転する際に半径方向切開窓開口部を横断する切開ブレードを備える内側チューブを含む。医療装置は、挿入チューブの遠位端部の外面の上に配設された導電性素子５２と、挿入チューブに沿って近位端部から遠位端部まで延び、導電性素子にエネルギーを供給するために結合される導体５６とを更に含む。【選択図】図２
2018110859.tif 000002
【特許請求の範囲】
【請求項１】
医療装置であって、
挿入チューブであって、
近位端部と体腔の中に挿入するように構成された遠位端部とを有する外側チューブであって、前記遠位端部に近接して前記外側チューブの壁を通る半径方向切開窓開口部を備える外側チューブ、及び、
内側チューブであって、前記外側チューブに収容され、かつ前記外側チューブ内を回転するように構成され、前記内側チューブが回転する際に前記半径方向切開窓開口部を横断する切開ブレードを備える内側チューブを含む、挿入チューブと、
前記挿入チューブの前記遠位端部の外面の上に配設された導電性素子と、
前記挿入チューブに沿って前記近位端部から前記遠位端部まで延び、かつ前記導電性素子にエネルギーを供給するために結合された導体と、
を備える、医療装置。
【請求項２】
前記遠位端部の前記外面が、前記外側チューブの前記外面を含む、請求項１に記載の医療装置。
【請求項３】
前記遠位端部の前記外面が、前記内側チューブの前記外面を含む、請求項１に記載の医療装置。
【請求項４】
前記導体は、前記切開ブレードが前記半径方向切開窓を閉じるときに前記導電性素子に前記エネルギーを供給するように構成されている、請求項３に記載の医療装置。
【請求項５】
前記切開ブレードは第１切開ブレードを含み、前記半径方向切開窓開口部の縁部に配設された第２切開ブレードを含んでいる、請求項１に記載の医療装置。
【請求項６】
前記第２切開ブレードは体腔組織を把持するように構成された１セットの把持用歯を含む、請求項５に記載の医療装置。
【請求項７】
前記導電性素子は前記第２切開ブレードの上に配設されている、請求項５に記載の医療装置。
【請求項８】
前記遠位端部は外側チューブの遠位端部を含み、前記内側チューブは内側チューブの遠位端部と内側チューブの近位端部とを有し、かつ前記内側チューブの遠位端部に近接して前記内側チューブの壁を通る半径方向吸引窓開口部を含み、前記半径方向吸引窓開口部は特定の回転角度で前記半径方向切開窓開口部を横断するように構成されており、前記内側チューブの近位端部は、前記半径方向吸引窓開口部を介してデブリを抽出するように構成された吸引装置に結合されている、請求項１に記載の医療装置。
【請求項９】
前記切開ブレードは、前記半径方向吸引窓開口部の縁部に配設されている、請求項８に記載の医療装置。
【請求項１０】
切開時間と加熱時間の比を変えるために前記内側チューブの前記回転と前記導電性素子への前記エネルギーの前記供給とを独立して制御する入力装置を含む、請求項１に記載の医療装置。
【請求項１１】
前記体腔は、鼻腔及び副鼻腔からなる群から選択される、請求項１に記載の医療装置。
【請求項１２】
前記エネルギーは高周波エネルギーを含む、請求項１に記載の医療装置。
【請求項１３】
方法であって、
体腔の中に挿入するように構成され、かつ近位端部及び遠位端部を有する外側チューブと、前記外側チューブに収容され、かつ前記外側チューブ内で回転するように構成された内側チューブとを含む挿入チューブを供給することと、
前記外側チューブに、前記遠位端部に近接して前記外側チューブの壁を通る半径方向切開窓開口部を構成することと、
前記内側チューブに、前記内側チューブが回転する際に前記半径方向切開窓を横断する切開ブレードを位置決めすることと、
前記外側チューブの前記遠位端部の外面の上に配設された導電性素子を供給することと、
前記挿入チューブに沿って前記近位端部から前記遠位端部まで延び、かつ前記導電性素子にエネルギーを供給するために結合された導体を供給することと、
を含む、方法。
【請求項１４】
前記遠位端部の前記外面は、前記外側チューブの前記外面を含む、請求項１３に記載の方法。
【請求項１５】
前記遠位端部の前記外面は、前記内側チューブの前記外面を含む、請求項１３に記載の方法。
【請求項１６】
前記導体は、前記切開ブレードが前記半径方向切開窓を閉じるときに前記導電性素子に前記エネルギーを供給する、請求項１５に記載の方法。
【請求項１７】
前記切開ブレードは第１切開ブレードを含み、前記半径方向切開窓開口部の縁部に第２切開ブレードを配設することを含む、請求項１３に記載の方法。
【請求項１８】
前記第２切開ブレードは体腔組織を把持するように構成された１セットの把持用歯を含む、請求項１７に記載の方法。
【請求項１９】
前記導電性素子を前記第２切開ブレードの上に配設することを含む、請求項１７に記載の方法。
【請求項２０】
前記遠位端部は外側チューブの遠位端部を含み、前記内側チューブは内側チューブの遠位端部と内側チューブの近位端部とを有し、前記内側チューブの遠位端部に近接して前記内側チューブの壁を通る半径方向吸引窓開口部を供給することであって、前記半径方向吸引窓開口部は特定の回転角度で前記半径方向切開窓開口部を横断するように構成されている、ことと、前記内側チューブの近位端部に、前記半径方向吸引窓開口部を介してデブリを抽出するように構成された吸引装置用のカップリングを供給することとを含む、請求項１３に記載の方法。
【請求項２１】
前記半径方向吸引窓開口部の縁部に前記切開ブレードを配設することを含む、請求項２０に記載の方法。
【請求項２２】
１つ又は２つ以上の入力装置を用いて、切開時間と加熱時間の比を変えるために、前記内側チューブの前記回転と前記導電性素子への前記エネルギーの前記供給を独立して制御することを含む、請求項１３に記載の方法。
【請求項２３】
前記体腔は、鼻腔及び副鼻腔からなる群から選択される、請求項１３に記載の方法。
【請求項２４】
前記エネルギーは高周波エネルギーを含む、請求項１３に記載の方法。
【発明の詳細な説明】
【技術分野】
【０００１】
本発明は、一般に侵襲性医療用プローブに関し、特に鼻腔及び副鼻腔内で治療を行うように構成された侵襲性医療用プローブに関する。
【背景技術】
【０００２】
内視鏡下機能的副鼻腔手術（ＦＥＳＳ）は慢性副鼻腔炎の治療に一般的に用いられている手術である。典型的なＦＥＳＳ処置では、解剖学的構造は、副鼻腔への開口部にアクセスするために、通常、除去され、又は修正される。例えば、ＦＥＳＳ処置の間、鼻腔と副鼻腔への開口部とから骨及び粘膜組織を除去し、そしてこのような開口部を拡大して副鼻腔排液を改善し副鼻腔炎を緩和するような操作を実行するために、１つ又は２つ以上の硬性外科用器具（例えば、硬性内視鏡）を鼻孔に中に挿入することができる。ＦＥＳＳ外科術の間に治療され得る他の種類の組織には、ポリープ及び骨成長を含む。
【０００３】
参照により本特許出願に援用される文献は、これらの援用文献において、いずれかの用語が本明細書において明示的又は暗示的になされた定義と矛盾して定義されている場合には、本明細書における定義のみを考慮するものとする点を除き、本出願の一部とみなすものとする。
【０００４】
上記説明は、当該分野における関連技術の一般的概論として記載したものであって、この説明に含まれる何らの情報が本特許出願に対する先行技術を構成することを容認するものと解釈するべきではない。
【発明の概要】
【課題を解決するための手段】
【０００５】
本発明の一実施形態によれば、医療装置であって、挿入チューブであって、近位端部と体腔の中に挿入するように構成された遠位端部とを有する外側チューブであって、遠位端部に近接して外側チューブの壁を通る半径方向切開窓開口部を備える外側チューブ、及び、外側チューブに収容され、かつ外側チューブ内を回転するように構成された内側チューブであって、内側チューブが回転する際に半径方向切開窓開口部を横断する切開ブレードを備える内側チューブを含む、挿入チューブ、を備える医療装置が提供される。医療装置は更に、挿入チューブの遠位端部の外面の上に配設された導電性素子と、挿入チューブに沿って近位端部から遠位端部まで延び、かつ導電性素子にエネルギーを供給するために結合された導体とを備える。
【０００６】
いくつかの実施形態では、遠位端部の外面は、外側チューブの外面を含む。追加の実施形態では、遠位端部の外面は、内側チューブの外面を含む。遠位端部の外面が内側チューブの外面を含む実施形態では、導体は、切開ブレードが半径方向切開窓を閉じるときに導電性素子にエネルギーを供給するように構成され得る。
【０００７】
更なる実施形態では、切開ブレードは第１切開ブレードを含み、医療装置は、半径方向切開窓開口部の縁部に配設された第２切開ブレードを含む。いくつかの実施形態では、第２切開ブレードは体腔組織を把持するように構成された１セットの把持用歯を含む。補足的な実施形態では、導電性素子は第２切開ブレードの上に配設され得る。
【０００８】
追加の実施形態では、遠位端部は外側チューブの遠位端部を含み、内側チューブは内側チューブの遠位端部と内側チューブの近位端部とを有し、かつ内側チューブの遠位端部に近接して内側チューブの壁を通る半径方向吸引窓開口部を含み、半径方向吸引窓開口部は特定の回転角度で半径方向切開窓開口部を横断するように構成されており、内側チューブの近位端部は、半径方向吸引窓開口部を介してデブリを抽出するように構成された吸引装置に結合されている。医療装置が半径方向吸引窓開口部を含む実施形態では、切開ブレードは、半径方向吸引窓開口部の縁部に配設されてもよい。
【０００９】
更なる実施形態では、医療装置は、切開時間と加熱時間の比を変えるために内側チューブの回転と導電性素子へのエネルギーの供給とを独立して制御する入力装置を含んでもよい。補足的な実施形態では、体腔は、鼻腔及び副鼻腔からなる群から選択されてもよい。いくつかの実施形態では、エネルギーは高周波エネルギーを含む。
【００１０】
本発明の一実施形態によれば、方法であって、体腔の中に挿入するように構成され、かつ近位端部及び遠位端部を有する外側チューブと、外側チューブに収容され、かつ外側チューブ内で回転するように構成された内側チューブとを含む挿入チューブを供給することと、外側チューブに、遠位端部に近接して外側チューブの壁を通る半径方向切開窓開口部を構成することと、内側チューブに、内側チューブが回転する際に半径方向切開窓を横断する切開ブレードを位置決めすることと、外側チューブの遠位端部の外面の上に配設された導電性素子を供給することと、挿入チューブに沿って近位端部から遠位端部まで延び、かつ導電性素子にエネルギーを供給するために結合された導体を供給することと、を含む、方法もまた提供される。
【図面の簡単な説明】
【００１１】
ここで、本願開示の発明をあくまで一例として添付図面を参照しつつ説明する。
【図１】本発明の一実施形態による、デブリーダとコアグレータを組み合わせた医療用プローブを用いて処置を実行するように構成された医療システムの概略図である。
【図２】本発明の一実施形態による、医療用プローブの概略断面図である。
【図３】本発明の一実施形態による、医療用プローブの遠位端部の概略断面図である。
【図４】本発明の一実施形態による、医療用プローブの遠位端部の概略断面図である。
【図５】本発明の一実施形態による、医療処置の間、鼻腔内の医療用プローブの遠位端部を示す概略詳細図である。
【図６】本発明の一実施形態による、医療処置の間、鼻腔内の医療用プローブの遠位端部を示す概略詳細図である。
【発明を実施するための形態】
【００１２】
概説
内視鏡下機能的副鼻腔手術（ＦＥＳＳ）のような様々な治療処置は、通常、患者の体腔の中に挿入される１つ又は２つ以上の侵襲性医療用プローブを用いる。ＦＥＳＳ処置で用いられる侵襲性医療用プローブの例としては、骨及び組織を切開するように構成されているデブリーダ（剃刀及びカッタとしてもまた既知である）、及び軟組織の凝固及び血管の止血を実行するように構成されているコアグレータが挙げられる。
【００１３】
本発明の実施形態は、デブリーダとコアグレータとの機能を単一の医療用プローブに組み合わせる。以下に説明するように、医療用プローブは、近位端部と体腔の中に挿入するように構成された遠位端部とを有する外側チューブであって、遠位端部に近接して外側チューブの壁を通る半径方向切開窓開口部を有する外側チューブを含む、挿入チューブを備える。挿入チューブはまた、内側チューブであって、外側チューブに収容され、かつ外側チューブ内を回転するように構成された内側チューブを含む。内側チューブは、内側チューブが回転する際に半径方向切開窓開口部を横断する切開ブレードを備え、それによって半径方向切開窓開口部の中に突出する任意の骨と組織を切開（すなわち、「創傷清拭」）する。
【００１４】
本発明の実施形態では、医療用プローブは、挿入チューブの遠位端部の外面の上に配設される導電性素子を更に含む。いくつかの実施形態では、導電性素子は外側チューブの外面の上に配設されており、医療用プローブは、外側チューブに沿って近位端部から遠位端部まで延び、かつ導電性素子にエネルギー（例えば、高周波エネルギー）を供給するために結合されている導体を備える。エネルギーを受けることにより、導電性素子は、体腔内の流体を凝固するために、医療処置の間、体腔の中にエネルギーを注入するように構成される。
【００１５】
医療用プローブはまた、半径方向切開窓開口部の縁部に沿って配設された追加の切開ブレードを含んでもよい。いくつかの実施形態では、追加の切開ブレードは、医療処置の間、体腔組織を把持するように構成された１セットの把持用歯を含んでもよい。導電性素子が外側チューブの外面の上に配設されている実施形態では、導電性素子はまた、追加の切開ブレードの上に配設されて導体に結合されてもよく、それによって追加の切開ブレードが凝固を実行するのを可能にする。
【００１６】
いくつかの実施形態では、内側チューブの遠位端部は、内側チューブが回転する際に半径方向切開窓開口部を横断するように構成されている半径方向吸引窓開口部を含んでもよい。内側チューブがその近位端部で吸引装置（本明細書では吸引モジュールとしても呼ばれる）に結合される場合、医療用プローブは、医療処置の間、半径方向吸引窓開口部を介して、デブリ（例えば、体腔組織及び凝固された血液）を抽出するように構成され得る。
【００１７】
更なる実施形態では、医療用プローブは、内側チューブが外側チューブに対して特定の回転角度で位置決めされるときまで、遠位端部へのエネルギーの伝達を制限するように構成され得る。例えば、導電性素子が外側チューブの上に配設される実施形態では、医療用プローブは、半径方向切開窓開口部と半径方向吸引窓開口部とが整列するときまで導電性素子へのエネルギーの伝達を制限するように構成され得、それによって凝固されたデブリを抽出するため内側チューブへの吸引を可能にする。追加の実施形態では、内側チューブの回転と導電性素子へ伝達されるエネルギーは、各々、独立して制御されることができ、それによってオペレーターが創傷清拭時間と凝固時間の比を変えることを可能にする。
【００１８】
システムの説明
図１は、本発明の一実施形態による、デブリーダとコアグレータの機能を組み合わせた医療用プローブ２２及び制御コンソール２６を備える医療システム２０の概略図である。図１に示された例では、医療システム２０は、患者２８への最小侵襲性カテーテルに基づく副鼻腔手術に用いられ得る。
【００１９】
医療用プローブ２２は、鼻腔又は副鼻腔のような患者２８の内腔の中に挿入チューブ３５の遠位端部３４を挿入するために、オペレーター３２が把持して操作できるハンドル３０を含む。本発明の実施形態では、挿入チューブ３５は、外側チューブ３６と、外側チューブに収容され、かつ外側チューブ内を回転するように構成される内側チューブとを含む。内側チューブは、図３及び図４を参照する説明において、以下に説明される。
【００２０】
医療用プローブ２２は、通常、患者２８における遠位端部３４の現在位置を示す信号を生成する位置センサ（図示なし）を含む。操作中、制御コンソール２６は、リアルタイム画像３８を生成するため、信号を受信し、示された位置を予め取得された画像（例えば、コンピュータ断層撮影画像）に位置合わせすることができる。いくつかの実施形態では、制御コンソール２６は、予め取得された画像に、遠位端部３４の現在の位置合わせされた位置を示すアイコンを重ね合わせることによってリアルタイム画像３８を生成できる。制御コンソール２６は、リアルタイム画像を処置に関する情報としてディスプレイ４０に提示することができる。
【００２１】
位置センサの例としては、磁場に基づく位置センサ及びインピーダンスに基づく位置センサが挙げられる。磁気的位置追跡技術については、例えば上記に参照した米国特許第５，３９１，１９９号及び同第６，６９０，９６３号、並びに、参照によりその開示内容が本出願に組み込まれる米国特許第５，４４３，４８９号、同第６，７８８，９６７号、同第５，５５８，０９１号、同第６，１７２，４９９号及び同第６，１７７，７９２号に述べられている。インピーダンスに基づいた位置追跡技術については、例えばそれらの開示内容を参照によって本明細書に援用するところの米国特許第５，９８３，１２６号、同第６，４５６，８６４号、及び同第５，９４４，０２２号に記載されている。
【００２２】
ディスプレイ４０は、一例として、液晶ディスプレイ、発光ダイオードディスプレイ、有機発光ダイオードディスプレイ又はプラズマディスプレイのような、平面パネルディスプレイを含むと想定される。しかしながら、他の表示装置もまた、本発明の実施形態の実施に使用することができる。いくつかの実施形態では、ディスプレイ４０は、画像３８の提示に加えてオペレーター３２からの入力を受け入れるように構成され得るタッチスクリーンを含んでもよい。
【００２３】
医療用プローブ２２及び医療システム２０の他の構成要素から受信された信号に基づき、制御コンソール２６は、患者の体内の遠位端３４の現在位置と、進行中である処置に関する状態情報及びガイダンスを提示するために、ディスプレイ４０を駆動して画像３８を更新する。いくつかの実施形態では、オペレーター３２は、１つ又は２つ以上の入力デバイス４２を使用して、画像３８を操作することができる。ディスプレイ４０がタッチスクリーンディスプレイで構成される実施形態では、オペレーター３２は、タッチスクリーンディスプレイを介して画像３８を操作することができる。
【００２４】
図２は、本発明の実施形態による医療用プローブ２２の概略断面図である。外側チューブ３６は、遠位端部３４に近接する半径方向切開窓開口部５０を含む。本発明の実施形態では、プローブ２２は、挿入チューブ３５の遠位端部の上に配設される導電性素子５２を含む。いくつかの実施形態では、導電性素子５２は、外側チューブ３６の外面５４の上に配設される。外面５４は、通常、テフロン（商標）又はポリウレタンのような絶縁ポリマーを含み、導電性素子５２は、通常、凝固を実行するために患者２８の中にエネルギーを注入するように構成される金属（例えば、金）の薄層を含む。
【００２５】
医療用プローブ２２はまた、通常、１つ又は２つ以上の導線の形態にある導体５６を含む。導電性素子５２が外側チューブ３６の上に配設される実施形態では、導体５６は外側チューブに沿って、外側チューブの近位端部５８から遠位端部３４まで延びる。ハンドル３０は、近位端部５８で導体５６に結合される凝固モジュール６０を含み、導体は遠位端部３４で導電性素子５２に結合される。凝固モジュール６０は、導電性素子５２にエネルギー（例えば、高周波エネルギー）を伝達し、導電性素子に伝達されるエネルギーのレベルと持続時間のような凝固パラメータを監視して制御するように構成される。導電性素子５２は、患者２８の体腔（例えば、鼻腔及び／又は副鼻腔）の中に伝達されたエネルギーを注入し、体腔の流体（例えば、血液）を凝固するために用いられ得る熱を生成する。
【００２６】
遠位端部３４は、半径方向切開窓開口部５０の１つ又は２つ以上の縁部に沿って配設される外側ブレード６２を含む。図２に示す構成では、外側ブレード６２は、医療処置の間、体腔の組織を把持するために用いられ得る１セットの把持用歯を含んでもよい。いくつかの実施形態では、外側ブレード６２は、導電性素子５２で被膜されてもよく、それによって把持用歯が医療処置の間、凝固を実行することを可能にする。
【００２７】
ハンドル３０はまた、モータ６４及び吸引モジュール６６も含む。モータ６４及び吸引モジュール６６の詳細と操作は、図３及び図４を参照する説明において以下に説明する。図２の構成は、ケーブル６８から電気エネルギーを受け取るハンドル３０内のハンドル構成要素（すなわち、凝固モジュール６０、モータ６４及び吸引モジュール６６）を示すが、任意の他の電気エネルギー源からハンドル構成要素への電力供給は、本発明の趣旨及び範囲内であると考えられる。例えば、ハンドルは、ハンドルのモジュールに電気エネルギーを伝達するバッテリーを含んでもよい。
【００２８】
図３及び図４は、本発明の一実施形態による、外側チューブ３６内に収容された内側チューブ７０を含む遠位端部３４の概略断面図である。図３及び図４に示すように、内側チューブ７０の近位端部は、矢印７２によって示されるように外側チューブ３６内で内側チューブを回転するように構成されるモータ６４に結合され、内側チューブ７０の遠位端部は、モータ６４が外側チューブ３６内で内側チューブを回転する際に、半径方向切開窓開口部５０を横断する切開ブレード７４を含む。操作中、凝固（すなわち、導電性素子５２により生成された熱の結果として）又は切開（すなわち、切開ブレード７４による）の結果として生じた任意のデブリは、デブリが生成されると抽出され得る。
【００２９】
図３に示す構成では、内側チューブ７０の遠位端部は半径方向吸引窓開口部７６を含み、切開ブレード７４は半径方向吸引窓開口部の縁部に沿って配設される。操作中、モータ６４が内側チューブ７０を回転すると、半径方向吸引窓開口部７６は、モータ６４が外側チューブ３６内で内側チューブを回転する際に、半径方向切開窓開口部５０を特定の回転角度で横断する。更に、遠位端部３４は吸引モジュール６６に結合されることができ、その結果、半径方向吸引窓開口部７６が図３に示すように半径方向切開窓開口部５０と整列する場合、デブリ（例えば、組織及び／又は凝固血液）は体腔から抽出され得る。
【００３０】
いくつかの実施形態では、導電性素子５２は、内側チューブ７０の外面（図示なし）の上に配設される。これらの実施形態では、導体５６は内側チューブ７０の近位端部から遠位端部３４まで延びることができ、医療システム２０は、半径方向吸引窓開口部７６が半径方向切開窓開口部５０に対向するとき、すなわち、図４に示すように、切開ブレード７４の回転が半径方向切開窓５０を閉じるときまで、導電性素子５２へのエネルギーの伝達を制限するように構成され得る。操作中、モータ６４が内側チューブ７０を回転する際、凝固モジュール６０は、例えば、切開ブレード７４が半径方向切開窓５０を閉じるときに、内側チューブの上に配設された導電性素子に伝達されるエネルギーをパルス化することができる。
【００３１】
図５及び図６は、本発明の一実施形態による、医療処置の間、鼻腔８２の洞組織８０と接する遠位端部３４を示す概略詳細図である。図５では、オペレーター３２は、外側ブレード６２の把持用歯が洞組織８０を把持するように、遠位端部３４を鼻腔８２に位置決めする。図６に示すように、医療処置の間、切開ブレード７４は洞組織の一部を除去する。更に、導電性素子５２により生成される熱は、鼻腔８２内の血液又は流体を凝固することができ、任意のデブリ８４（例えば、導電性素子により凝固された血液及び／又は切開ブレード７４により切開された洞組織）は、半径方向吸引窓開口部７６を介して鼻腔から除去され得る。
【００３２】
本発明の実施形態では、オペレーター３２は、入力装置４２（あるいはペダルスイッチ又はハンドル３０のボタンのような任意の他のタイプの入力装置）を用いて、凝固モジュール６０、モータ６４及び吸引モジュール６６を個々に制御することができる。これにより、オペレーター３２が、凝固の時間を変えるために凝固モジュール６０から導電性素子５２へのエネルギーの流れを制御し、そして（すなわち、内側チューブ７０の回転を制御することにより）切開時間及び切開ブレード７４の速度を変えるためにモータ６４へのエネルギーの流れを制御することを可能にする。
【００３３】
追加の実施形態では、医療システム２０は、内側チューブの回転と導電性素子に伝達されるエネルギーとを独立して制御するように構成され得る。例えば、制御コンソール２６は、オペレーター３２がモータ６４を制御するために操作できる第１の所与された入力装置４２と、オペレーター３２が凝固モジュール６０を制御するために操作することができる第２の所与された入力装置４２とを含んでもよい。代替的な実施形態では、医療システム２０は、オペレーター３２がモータ６４と凝固モジュール６０とを独立して制御するために操作することができる、他のタイプの入力装置（例えば、ペダルスイッチ）を含んでもよい。オペレーター３２が、モータ６４と凝固モジュール６０とを独立して制御することを可能にすることによって、医療システム２０は、オペレーター３２が創傷清拭時間（すなわち、切開ブレード７４を用いて組織を切開すること）と凝固時間（すなわち、鼻腔８２内の血液を加熱するため導電性素子５２を用いること）の比を変えることを可能にする。
【００３４】
上記に述べた実施形態はあくまで実例として挙げたものにすぎず、本発明は上記に詳細に示し、説明したものに限定されない点は理解されよう。むしろ、本発明の範囲は、上記の種々の特徴の組み合わせ及び部分的組み合わせの両方、並びに前述の説明を読むことで当業者が想起するであろう、先行技術に開示されていない変形形態及び改変を含む。
【００３５】
〔実施の態様〕
（１）  医療装置であって、
挿入チューブであって、
近位端部と体腔の中に挿入するように構成された遠位端部とを有する外側チューブであって、前記遠位端部に近接して前記外側チューブの壁を通る半径方向切開窓開口部を備える外側チューブ、及び、
内側チューブであって、前記外側チューブに収容され、かつ前記外側チューブ内を回転するように構成され、前記内側チューブが回転する際に前記半径方向切開窓開口部を横断する切開ブレードを備える内側チューブを含む、挿入チューブと、
前記挿入チューブの前記遠位端部の外面の上に配設された導電性素子と、
前記挿入チューブに沿って前記近位端部から前記遠位端部まで延び、かつ前記導電性素子にエネルギーを供給するために結合された導体と、
を備える、医療装置。
（２）  前記遠位端部の前記外面が、前記外側チューブの前記外面を含む、実施態様１に記載の医療装置。
（３）  前記遠位端部の前記外面が、前記内側チューブの前記外面を含む、実施態様１に記載の医療装置。
（４）  前記導体は、前記切開ブレードが前記半径方向切開窓を閉じるときに前記導電性素子に前記エネルギーを供給するように構成されている、実施態様３に記載の医療装置。
（５）  前記切開ブレードは第１切開ブレードを含み、前記半径方向切開窓開口部の縁部に配設された第２切開ブレードを含んでいる、実施態様１に記載の医療装置。
【００３６】
（６）  前記第２切開ブレードは体腔組織を把持するように構成された１セットの把持用歯を含む、実施態様５に記載の医療装置。
（７）  前記導電性素子は前記第２切開ブレードの上に配設されている、実施態様５に記載の医療装置。
（８）  前記遠位端部は外側チューブの遠位端部を含み、前記内側チューブは内側チューブの遠位端部と内側チューブの近位端部とを有し、かつ前記内側チューブの遠位端部に近接して前記内側チューブの壁を通る半径方向吸引窓開口部を含み、前記半径方向吸引窓開口部は特定の回転角度で前記半径方向切開窓開口部を横断するように構成されており、前記内側チューブの近位端部は、前記半径方向吸引窓開口部を介してデブリを抽出するように構成された吸引装置に結合されている、実施態様１に記載の医療装置。
（９）  前記切開ブレードは、前記半径方向吸引窓開口部の縁部に配設されている、実施態様８に記載の医療装置。
（１０）  切開時間と加熱時間の比を変えるために前記内側チューブの前記回転と前記導電性素子への前記エネルギーの前記供給とを独立して制御する入力装置を含む、実施態様１に記載の医療装置。
【００３７】
（１１）  前記体腔は、鼻腔及び副鼻腔からなる群から選択される、実施態様１に記載の医療装置。
（１２）  前記エネルギーは高周波エネルギーを含む、実施態様１に記載の医療装置。
（１３）  方法であって、
体腔の中に挿入するように構成され、かつ近位端部及び遠位端部を有する外側チューブと、前記外側チューブに収容され、かつ前記外側チューブ内で回転するように構成された内側チューブとを含む挿入チューブを供給することと、
前記外側チューブに、前記遠位端部に近接して前記外側チューブの壁を通る半径方向切開窓開口部を構成することと、
前記内側チューブに、前記内側チューブが回転する際に前記半径方向切開窓を横断する切開ブレードを位置決めすることと、
前記外側チューブの前記遠位端部の外面の上に配設された導電性素子を供給することと、
前記挿入チューブに沿って前記近位端部から前記遠位端部まで延び、かつ前記導電性素子にエネルギーを供給するために結合された導体を供給することと、
を含む、方法。
（１４）  前記遠位端部の前記外面は、前記外側チューブの前記外面を含む、実施態様１３に記載の方法。
（１５）  前記遠位端部の前記外面は、前記内側チューブの前記外面を含む、実施態様１３に記載の方法。
【００３８】
（１６）  前記導体は、前記切開ブレードが前記半径方向切開窓を閉じるときに前記導電性素子に前記エネルギーを供給する、実施態様１５に記載の方法。
（１７）  前記切開ブレードは第１切開ブレードを含み、前記半径方向切開窓開口部の縁部に第２切開ブレードを配設することを含む、実施態様１３に記載の方法。
（１８）  前記第２切開ブレードは体腔組織を把持するように構成された１セットの把持用歯を含む、実施態様１７に記載の方法。
（１９）  前記導電性素子を前記第２切開ブレードの上に配設することを含む、実施態様１７に記載の方法。
（２０）  前記遠位端部は外側チューブの遠位端部を含み、前記内側チューブは内側チューブの遠位端部と内側チューブの近位端部とを有し、前記内側チューブの遠位端部に近接して前記内側チューブの壁を通る半径方向吸引窓開口部を供給することであって、前記半径方向吸引窓開口部は特定の回転角度で前記半径方向切開窓開口部を横断するように構成されている、ことと、前記内側チューブの近位端部に、前記半径方向吸引窓開口部を介してデブリを抽出するように構成された吸引装置用のカップリングを供給することとを含む、実施態様１３に記載の方法。
【００３９】
（２１）  前記半径方向吸引窓開口部の縁部に前記切開ブレードを配設することを含む、実施態様２０に記載の方法。
（２２）  １つ又は２つ以上の入力装置を用いて、切開時間と加熱時間の比を変えるために、前記内側チューブの前記回転と前記導電性素子への前記エネルギーの前記供給を独立して制御することを含む、実施態様１３に記載の方法。
（２３）  前記体腔は、鼻腔及び副鼻腔からなる群から選択される、実施態様１３に記載の方法。
（２４）  前記エネルギーは高周波エネルギーを含む、実施態様１３に記載の方法。
【図１】
2018110859.tif 000003
【図２】
2018110859.tif 000004
【図３】
2018110859.tif 000005
【図４】
2018110859.tif 000006
【図５】
2018110859.tif 000007
【図６】
2018110859.tif 000008
【外国語明細書】
2018110859000001.pdf